(57)【特許請求の範囲】
【請求項１】
家具本体（４０）に配置された折り畳みドア（３）用の金具（１）であって、前記折り畳みドア（３）は、少なくとも１つの第１の扉（３ａ）と該第１の扉（３ａ）に枢着結合された第２の扉（３ｂ）とを備えており、当該金具（１）は、前記第１の扉（３ａ）または前記第２の扉（３ｂ）に配置するための接触部材（２）を有している、金具（１）において、
前記接触部材（２）は、接触位置（Ｋ）と休止位置（Ｒ）との間において可動に前記第１の扉（３ａ）または前記第２の扉（３ｂ）に配置されており、前記折り畳みドア（３）の閉鎖位置（Ｓ）において前記接触部材（２）は、前記接触位置（Ｋ）において、前記家具本体（４０）または前記家具本体（４０）の構成部分に接触可能であり、かつ前記折り畳みドア（３）の開放位置（Ｏ）において前記接触部材（２）は、前記休止位置（Ｒ）において、前記第１の扉（３ａ）と前記第２の扉（３ｂ）との間の中間室（Ｚ）内に可動であり、
前記接触部材（２）は、前記接触位置（Ｋ）において、前記第１の扉（３ａ）または前記第２の扉（３ｂ）から垂直に起立する、
ことを特徴とする、金具（１）。
【請求項２】
前記接触部材（２）は、前記接触位置（Ｋ）と前記休止位置（Ｒ）との間における移動のために、前記第１の扉（３ａ）または前記第２の扉（３ｂ）に、または前記第１の扉（３ａ）または前記第２の扉（３ｂ）に取り付けられたベース体（６）に、回転軸（Ｄ）を中心にして枢着的に旋回可能に支持されている、
請求項１記載の金具。
【請求項３】
前記接触部材（２）は、蓄力器（４）によって前記休止位置（Ｒ）から前記接触位置（Ｋ）に移動可能である、
請求項２記載の金具。
【請求項４】
前記蓄力器（４）は、前記接触部材（２）と前記ベース体（６）、または前記第１の扉（３ａ）または前記第２の扉（３ｂ）との間に配置されている、
請求項３記載の金具。
【請求項５】
前記蓄力器（４）は、ばねによって形成されている、
請求項３または４記載の金具。
【請求項６】
前記ばねは、引張りばねである、
請求項５記載の金具。
【請求項７】
前記接触部材（２）は、前記休止位置（Ｒ）と前記接触位置（Ｋ）との間において、０°〜９０°だけ旋回可能に支持されている、
請求項１から６までのいずれか１項記載の金具。
【請求項８】
前記接触部材（２）は、１つの自由端部に接触部分（５）を有していて、該接触部分（５）は、前記家具本体（４０）に、または前記家具本体（４０）の構成部分に接触可能である、
請求項１から７までのいずれか１項記載の金具。
【請求項９】
前記接触部材（２）の前記接触部分（５）は、前記接触位置（Ｋ）において、前記接触部分（５）が取付けられている前記第１の扉（３ａ）または前記第２の扉（３ｂ）から、前記休止位置（Ｒ）におけるよりも大きく突出している、
請求項８記載の金具。
【請求項１０】
前記接触部分（５）は、回転可能な転動体として、前記接触部材（２）の前記自由端部に支持されていて、かつ前記転動体は、その周面で、前記家具本体（４０）に、または前記家具本体（４０）の構成部分に接触可能である、
請求項８または９記載の金具。
【請求項１１】
前記接触部材（２）は、調節部分（１０）に基づいてその長さが調節可能である、
請求項８から１０までのいずれか１項記載の金具。
【請求項１２】
前記調節部分（１０）は、長孔によって形成されていて、かつ前記接触部材（２）の長さは、少なくとも１つのロック手段（１２）と、対応する固定部分（１２’）とを用いてロック可能である、
請求項１１記載の金具。
【請求項１３】
前記ロック手段（１２）は、ねじの形態であり、前記対応する固定部分（１２’）は、対応ねじ山の形態である、請求項１２記載の金具。
【請求項１４】
当該金具（１）は、２部分から形成されていて、取付け部材（１ａ）が前記第１の扉（３ａ）に、かつガイド部材（１ｂ）が前記第２の扉（３ｂ）に配置されている、
請求項８から１３までのいずれか１項記載の金具。
【請求項１５】
前記取付け部材（１ａ）に配置された前記接触部材（２）は、前記開放位置（Ｏ）と前記閉鎖位置（Ｓ）との間における前記第１および第２の扉（３ａ，３ｂ）の走行時に、前記ガイド部材（１ｂ）によって前記接触位置（Ｋ）から前記休止位置（Ｒ）へと移動させられる、
請求項１４記載の金具。
【請求項１６】
前記ガイド部材（１ｂ）は傾斜面（７）を含んでいて、該傾斜面（７）に沿って前記接触部材（２）は走行可能である、
請求項１４または１５記載の金具。
【請求項１７】
前記接触部材（２）の前記接触部分（５）が、前記傾斜面（７）に沿って走行可能である、請求項１６記載の金具。
【請求項１８】
前記傾斜面（７）は、前記扉（３ｂ）に向かって凸面状に湾曲されて形成されている、
請求項１６または１７記載の金具。
【請求項１９】
前記少なくとも１つの第１の扉（３ａ）と該第１の扉（３ａ）に枢着結合された前記第２の扉（３ｂ）とを備えた前記折り畳みドア（３）の、前記開放位置（Ｏ）への旋回時に、当該金具（１）の折畳みが行われ、かつ前記閉鎖位置（Ｓ）への展開時に、当該金具（１）の開放旋回が行われ、次いで当該金具（１）は前記家具本体（４０）に当接するようになっている、
請求項１から１８までのいずれか１項記載の金具。
【請求項２０】
前記少なくとも１つの第１の扉（３ａ）と該第１の扉（３ａ）に枢着結合された前記第２の扉（３ｂ）とを備えた前記折り畳みドア（３）の、前記開放位置（Ｏ）への旋回時に、当該金具（１）の折畳みが行われ、かつ前記第１および第２の扉（３ａ，３ｂ）は、互いにほぼ平行に配置されており、前記開放位置（Ｏ）にある前記折り畳みドア（３）は、前記家具本体（４０）に配置されている引込みスロット（４１）内に挿入可能である、
請求項１から１９までのいずれか１項記載の金具。
【請求項２１】
前記接触部材（２）は、前記接触位置（Ｋ）において、前記折り畳みドア（３）と前記家具本体（４０）との間における間隔（Ｌａ）を、前記接触部材（２）の長さによって確定された一定の値に決定する、
請求項１から２０までのいずれか１項記載の金具。
【請求項２２】
請求項１から２１までのいずれか１項記載の少なくとも１つの金具（１）を備えた折り畳みドア（３）。
【請求項２３】
請求項２２記載の少なくとも１つの折り畳みドア（３）を備えた家具（１００）。
【発明の詳細な説明】
【技術分野】
【０００１】
本発明は、請求項１の上位概念部に記載の特徴を備えた金具に関する。
【０００２】
さらに、請求項１９に記載の特徴を備えた折り畳みドア、および請求項２０に記載の特徴を備えた家具が提供されることが望まれている。
【０００３】
冒頭に述べた形式の金具は、既に従来技術であり、家具本体に取り付けられた可動の家具部分が、閉鎖位置において、家具本体における確定されたストッパを有するという目的を有している。これらの可動の家具部分には、ドア、折り畳みドア、折り畳みスライドドア、またはこれに類したものが属している。ストッパが存在しない場合には、可動の家具部分は、例えば閉鎖位置において過度に深く押し込まれることがある。さらに可動の家具部分は、例えば不安定な中間状態では、例えば家具本体における空気の流れまたは類似の影響時に、揺動または変動のような不所望の移動を行うことがある。さらに第２の可動の家具部分が、第１の可動の家具部分のそばに位置している場合には、ストッパが存在しないことに基づいて種々様々な継ぎ目形成が生じることがある。折り畳みスライドドアまたはスライドドアのような可動の家具部分のためのこのようなストッパは、多くの場合剛性に形成されていて、かつ可動の家具部分の背面に位置している。したがって、可動の家具部分の支持のために設けられた金具は、可動の家具部分の閉鎖位置において、可動の家具部分と家具本体との間に配置されていて、かつ見えない。ストッパとして形成された金具が、折り畳みスライドドアにおいて使用される場合には、折り畳みスライドドアの開放された状態において金具は、折り畳みスライドドアの折り畳まれた扉の間に位置しなくてはならないという問題がある。折り畳みスライドドアの開放位置において２つの扉は、互いに平行に方向付けられている。ストッパは、扉の間における僅かな空間に位置しなくてはならない。したがってしばしば、扉が開放位置において互いに十分に大きく離されていている以外には、扉を、スペースを節減する平行位置にもたらすことがまったく不可能であり、これによってまた家具のコンパクトな構造形式が不可能になる。さらに折り畳みスライドドアまたは折り畳みドアと家具本体との間における間隙が、閉鎖位置において、扉の平行位置における個々の扉の間の間隔よりも、しばしば大きくなるという問題が生じる。これによって閉鎖位置においては、折り畳みドアまたは折り畳みスライドドアにおけるストッパによって、折り畳みドアまたは折り畳みスライドドアと家具本体との間における比較的大きな間隙をブリッジすることが必要であり、これに対して折り畳みドアまたは折り畳みスライドドアの平行位置または開放位置においては、このストッパは邪魔である。それというのは、平行位置における両扉の間隔は、ストッパの必要な長さよりも著しく小さいからである。
【０００４】
本発明の課題は、上に記載された欠点を排除し、かつ従来技術に対して改善された金具を提供することである。
【０００５】
さらに従来技術に対して改善された、本発明に係る金具を備えた折り畳みドア、およびこのような折り畳みドアを備えた家具を提供することが望まれている。
【０００６】
このことは、請求項１、１９および２０に記載の特徴によって達成される。
【０００７】
接触部材が、接触位置と休止位置との間において可動に第１の扉または第２の扉に配置されており、このとき折り畳みドアの閉鎖位置において接触部材が、接触位置において、家具本体または家具本体の構成部分に接触可能であり、かつ折り畳みドアの開放位置において接触部材が、休止位置において、第１の扉と第２の扉との間における中間室内に可動であると、フレキシブルなストッパが得られ、このストッパは、折り畳みドアの開放位置において、折り畳みドアの間における制限された空間内にスペースを節減して位置し、かつ折り畳みドアの閉鎖位置においては、折り畳みドアと家具本体または家具本体の部分との間において支持するように作用する。これによって折り畳みドアは閉鎖位置において支持される。第２の折り畳みドアが家具本体に配置されている場合には、２つの折り畳みドアの間にかなりの間隙形成が得られる。これによって一方の折り畳みドアが、他方の折り畳みドアよりも深く家具本体内に沈み込むことまたは内方旋回することがあり得なくなる。それというのは、両折り畳みドアは、金具によって家具本体により同じ形式で支持されるからである。このことはさらに、種々様々な扉または折り畳みドアにおける、場合によっては発生する製作誤差をブリッジできるようにするために、ストッパの長さが調節可能であることによって達成される。全般的に、折り畳みドアという概念は、折り畳みスライドドアをも意味しているということが言える。
【０００８】
このとき特に好適であることが判明している実施形態では、接触部材は、接触位置と休止位置との間における移動のために、第１の扉または第２の扉に、または第１の扉または第２の扉に取り付けられたベース体に、回転軸を中心にして枢着的に旋回可能に支持されている。ベース体によって、扉のうちの１つの扉における金具の取付けが著しく容易になる。回転軸を中心にして旋回可能に支持された接触部材によって、スペースを節減する金具が実現され、この金具は、折り畳みドアの開放位置に相当する、扉の平行位置において、扉の間における僅かな空間しか必要としない。
【０００９】
接触部材が、蓄力器によって休止位置から接触位置に可動であると、休止位置と接触位置との間における旋回が、閉鎖位置と開放位置との間における折り畳みドアの移動時に自動的に行われる。したがって、蓄力器によって接触部材が例えば接触位置に押圧されるかまたは引っ張られることが達成される。蓄力器は、閉鎖位置への折り畳みドアの走行時に反力によって克服され、これによって接触部材は休止位置に移動する。このことはさらに、蓄力器が、接触部材とベース体、または第１の扉または第２の扉との間に配置されていることによって行われる。蓄力器は、例えばガスばね、エラストマによって、または好ましくはばね、特に好ましくは引張りばねによって形成されていてよい。言い換えれば、蓄力器は、ばね、好ましくは引張りばねによって形成されている。
【００１０】
接触部材が、休止位置と接触位置との間において、０°〜９０°、好ましくは０°〜８０°、特に好ましくは０°〜７５°だけ旋回可能に支持されていると、スペースを節減して扉の間に位置することができる接触部材が得られる。
【００１１】
接触部材が、１つの自由端部に接触部分を有していて、該接触部分が、家具本体と、または家具本体の構成部分に接触可能であると、接触部材の支持領域が確定される。接触部分は、例えば複数の特性を有することができる。接触部分は、騒音の発生を最小にするために、例えば緩衝作用をもって形成されていてよい。さらに接触部分は、回転可能な転動体として、接触部材の自由端部に支持されていてよく、かつ転動体の周面は、家具本体に、または家具本体の構成部分に接触可能であってよい。これによって転動体によって扉の閉鎖時に、転動体における転動が生ぜしめられ、この転動は、騒音を低減し、かつ摩擦を最小にする。この転動体が例えばプラスチックから製造されていると、転動体は追加的に騒音低減処置を引き受ける。さらに接触部分における相応に軟質の材料によって、家具本体が接触部分の接触領域において損傷することが阻止される。
【００１２】
好適であることが判明している実施形態では、接触部材の接触部分は、接触位置において、接触部分が固定されている扉から、休止位置におけるよりも大きく突出している。これによって、扉と家具本体との間における多くの場合比較的大きな間隙をブリッジし、かつ平行位置における２つの扉の間の比較的僅かな間隙を、可動の接触部材によって補償することが達成される。
【００１３】
さらに好適であることが判明している実施形態では、接触部材は、調節部分を介してその長さが調節可能である。このように構成されていると、例えば家具本体および／または扉における製作誤差を調節部分によって補償することができる。
【００１４】
例えば複数の扉または折り畳みドアが１つの家具本体に取り付けられる場合には、これらの扉または折り畳みドアは、家具本体に対して相対的なその位置を、かつその相互の位置を調節することができる。これによって、家具部分と家具本体との間における均等な間隙形成が得られる。さらに金具は、調節可能性によって複数の領域において使用可能であり、かつそのために特殊に裁断された家具においてのみ使用可能であるのではない。
【００１５】
調節部分が、長孔によって形成されていて、かつ接触部材の長さが、好ましくはねじの形態の少なくとも１つのロック手段と、好ましくは対応ねじ山の形態の対応する固定部分とを用いてロック可能であると、調節の簡単な可能性が得られる。市販の工具によって、調節を行うことが可能である。使用者には長孔の形成によって、調節部分があることが明らかになる。これによって長孔は、金具の取付け時に、長孔が、扉に対して相対的な接触部分の間隔を調節できるということを示唆する。
【００１６】
金具が、２部分から形成されていて、このとき取付け部材が第１の扉に、かつガイド部材が第２の扉に配置されていると、取付け部材によって反力を蓄力器にもたらすことができる。この取付け部材は、開放位置から閉鎖位置への扉の走行時に、蓄力器を押圧し、かつ接触部材を接触位置から休止位置に移動させる。言い換えれば好ましくは、取付け部材に配置された接触部材は、開放位置と閉鎖位置との間における扉の走行時に、ガイド部材によって接触位置から休止位置へと移動させられる。このことは、蓄力器の力に抗して行われる。
【００１７】
ガイド部材が傾斜面を含んでいて、該傾斜面に沿って接触部材が、好ましくは接触部材の接触部分が走行可能であると、スペースを節減して２つの扉の間に配置されている単純なガイド部材が実現される。このとき傾斜面は、蓄力器をブリッジするため、ひいては休止位置へと接触部材を走行させるために必要な反力を生ぜしめる。傾斜面によって、ガイド部材に沿った接触部分の、騒音が低減された走行が生ぜしめられる。このとき好ましくは、傾斜面は、例えば騒音減衰作用を有するプラスチックから製造される。
【００１８】
さらに好適であることが判明している実施形態では、傾斜面は、曲面として扉に対して凸面状に湾曲されて形成されている。この凸面状の湾曲によって、傾斜面をさらによりコンパクトに形成することができるようになり、かつこれによって扉の間における僅かな空間において比較的簡単に場所を見いだす。凸面状の湾曲は、追加的に、蓄力器への接触部材の走行時に役立つ。
【００１９】
少なくとも１つの第１の扉と該第１の扉に枢着結合された第２の扉とを備えた折り畳みドアの、開放位置への旋回時に、金具の折畳みが行われ、かつ閉鎖位置への展開時に、金具の開放旋回が行われ、次いで金具が家具本体に当接すると、閉鎖位置において折り畳みドアの良好な位置決めが保証され、かつ開放位置において、２つの扉の間における金具の、スペースを節減する収納が保証されることが得られる。
【００２０】
このとき特に好適であることが判明している実施形態では、少なくとも１つの第１の扉と該第１の扉に枢着結合された第２の扉とを備えた折り畳みドアの、開放位置への旋回時に、金具の折畳みが行われ、かつ扉が、互いにほぼ平行に配置されており、このとき開放位置にある折り畳みドアまたは折り畳みスライドドアは、家具本体に位置している引込みスロット内に挿入可能である。これによって、扉の全アセンブリを家具本体のそばにおける引込みスロット内に仕舞うことができる。これによって扉は開放位置において室内に位置しなくなる。これによって視覚的に美しい外観が開放位置においても生ぜしめられる。折り畳みドアは、開放された状態において仕舞われている。引込みスロットは、折畳み可能なストッパによって比較的細く構成することができ、このことは本発明のさらなる利点である。
【００２１】
次に、本発明のその他の詳細および利点を、図面について、図面に示された実施形態を参照しながら詳説する。
【図面の簡単な説明】
【００２２】
【図１】閉鎖位置における折り畳みドアを備えた家具を示す斜視図である。
【図２】閉鎖位置における折り畳みドアを備えた家具を示す平面図である。
【図３】接触位置における金具を示す図である。
【図４】開放位置における家具を示す図である。
【図５】休止位置における金具を示す図である。
【図６】折り畳みドアの開放位置における金具を示す図である。
【図７】折り畳みドアの閉鎖位置における金具を示す図である。
【図８】金具の調節可能性を示す図である。
【図９】金具の構成部分を示す分解図である。
【図１０】緩衝装置を備えた変化形態を示す図である。
【００２３】
図１には、家具本体４０を備えた家具１００が示されており、家具本体４０には、第１の扉３ａと第２の扉３ｂとから成る少なくとも１つの折り畳みドア３が取り付けられている。扉３ａ，３ｂは、ガイド５０に沿って可動に支持されて取り付けられている。図１には閉鎖位置Ｓが示され、この閉鎖位置Ｓにおいて、少なくとも１つの折り畳みドア３は閉鎖されていて、したがって扉３ａ，３ｂは同一平面内に位置している。
【００２４】
図２には、家具１００が平面図で示されている。家具１００または家具本体４０の側部には、少なくとも１つの引込みスロット４１が配置されている。この引込みスロット４１は、開放位置Ｏにもたらされた折り畳みドア３を収容するために働く。折り畳みドア３というのは、折り畳みスライドドアという概念をも意味している。それというのは、折り畳みドアは、単に折り畳まれるだけではなく、図１に示されたガイド５０に沿ってスライドすることもできるからである。家具本体４０と少なくとも１つの折り畳みドア３との間の領域には、接触部材２を備えた少なくとも１つの金具１が位置している。金具１の接触部材２は、少なくとも１つの折り畳みドア３の閉鎖位置Ｓにおいて、家具本体４０の構成部分または家具本体４０自体に接触する。これによって、折り畳みドア３が家具本体４０に対して相対的に閉鎖位置Ｓにおいて位置決めされることが保証される。これによって個々の扉３ａ，３ｂおよび／または折り畳みドア３の間における間隙形成は、正確に調節される。図面から認識できるように、折り畳みドア３と家具本体４０との間における間隙Ｘは、金具１によってブリッジされ、このとき折り畳みドア３の閉鎖位置Ｓでは接触部材２は、接触位置Ｋにおいて、家具本体４０または家具本体４０の構成部分に対して定位置で接触することができ、かつ折り畳みドア３の開放位置Ｏでは接触部材２は、休止位置Ｒにおいて、第１の扉３ａと第２の扉３ｂとの間の中間室Ｚ内に可撓的に移動可能である。これによって折り畳みドア３の位置決めは、折畳みヒンジ４３のみによることなく、金具１によっても引き受けられる。簡単化のために、図２には家具１００の上側領域におけるガイド５０が、図面において省かれている。金具１のそばにおいて扉３ａ，３ｂの間の間隙には、さらに展開補助手段（Auffalthilfe）が配置されており、この展開補助手段は、扉３ａ，３ｂの過剰押圧時に作動し、かつ閉鎖位置Ｓから開放位置Ｏの方向への折り畳みドア３の開放旋回を促進するので、この過剰押圧をできるようにするために、接触部材２は、さらに軽く可撓性でなくてはならない。このことは、例えば、金具１内にまたは金具１に接して配置された蓄力器によって行われる。これによって折り畳みドア３の同一平面位置から過剰押圧位置への過剰押圧時に、金具１における接触部材２は、エジェクト補助手段（Ausstosshilfe）の作動を保証できるようにするために、軽く撓むことができる。エジェクト補助手段は、図２においては見えないが、エジェクト補助手段は、金具１の上または下の領域において扉３ａ，３ｂの間のドア間隙に位置している。
【００２５】
図３には、扉３ａ，３ｂが閉鎖位置Ｓにおいて示されている。扉３ａ，３ｂは、ヒンジ軸ＳＸを備えたヒンジ４３を介して互いに結合されている。ヒンジ４３はさらに、閉鎖位置Ｓから開放位置Ｏへの扉３ａ，３ｂの開放を促進するために、さらに図２に関して述べられたエジェクト補助手段を含んでいてよい。しかしながらまたこのエジェクト補助手段は、扉３ａ，３ｂの間におけるドア間隙に沿って位置している独自の部材として形成されていてもよい。ヒンジ４３のそばには、金具１の取付け部材１ａが扉３ａに位置している。扉３ｂには、金具１の対応するガイド部材１ｂが位置しており、このガイド部材１ｂは、取付け部材１ａと係合することができ、かつ扉３ａ，３ｂの特定の位置において接触部材２と共働する。図３においては閉鎖位置Ｓが示され、接触部材２は、接触部分５で家具本体４０の一部によって支持されていて、かつこれによってストッパとして働く。このとき接触部材２は、回転軸Ｄを中心にして回転可能または旋回可能に、金具１のベース体６に取り付けられている。ガイド部材１ｂと取付け部材１ａもしくは接触部材２の接触部分５との間における共働は、傾斜面７を介して行われる。傾斜面７は、ガイド部材１ｂと一体に形成されている。
【００２６】
図４には、家具１００が開放位置Ｏにおいて示されており、このとき金具１の接触部材２は、折り畳まれた状態で、扉３ａ，３ｂの間における中間領域Ｚ内に位置している。ほぼ平行な、または実質的に平行な扉３ａ，３ｂは、金具１が図２に示されているようにその寸法を維持できるような大きな間隔を互いの間に残すことはない。金具１は、可撓性でなくてはならず、これに基づいて扉３ａ，３ｂを開放位置Ｏに移動させることができ、かつ扉３ａ，３ｂを次いで例えば引込みスロット４１内に位置決めすることができる。したがって図４には、金具１の休止位置が示されている。ガイド５０によって、開放位置Ｏにおける扉３ａ，３ｂのアセンブリを、引込みスロット４１内に導入することができる。これによって家具１００は前方に向かって開放されており、このとき引込みスロット４１は折り畳みドア３によって占められる。
【００２７】
図５には、折り畳みドア３の扉３ａ，３ｂが互いに旋回させられていて、かつ開放位置Ｏにある様子が示されている。旋回は、旋回軸ＳＸを介して行われる。このとき接触部材２の接触部分５は、ガイド部材１ｂの傾斜面７に沿って休止位置Ｒに走行する。この移動は、蓄力器４に抗して行われる。蓄力器４は、取付け部材１ａと接触部材２との間に配置されていて、かつ休止位置Ｒから接触位置Ｋへの接触部材２の戻りをもたらす。接触位置Ｋにおける接触部材２の位置決めを促進するために、蓄力器４の代わりに、例えば重力を利用することも可能である。接触部材２を休止位置Ｒに走行させるために、傾斜面７は、重力に抗して作用することが必要である。図５に示されているように好適な実施形態では、しかしながら蓄力器４を介して接触部材２は、回転軸Ｄを中心にして傾斜面７に沿って走行させられる。
【００２８】
図６には、簡単化のために扉３ａ，３ｂなしで金具１が示されている。このとき金具１は、休止位置Ｒに位置している。この休止位置Ｒは、図示されていない扉３ａ，３ｂの開放位置Ｏに相当している。取付け部材１ａとガイド部材１ｂとから成っている、金具１を形成するコンポーネントは、固定手段８を介して扉３ａ，３ｂに結合される。引張りばねとして形成された蓄力器４は、休止位置において緊張下にあり、かつ接触部材２を接触部分５と一緒に接触位置Ｋ（図７参照）に引き戻そうとする。しかしながら扉３ａ，３ｂが開放位置にあることに基づいて、この移動は行うことができず、かつロックされている。扉３ａ，３ｂが閉鎖位置Ｓにもたらされた時に初めて、蓄力器４は接触部材２を接触部分５と一緒に、接触位置Ｋに引っ張る、またはもたらすことができる。図６においてさらに分かるように、接触部材２は、ピンまたはねじから成っている回転軸Ｄを介して回転可能に、ベース体６に取り付けられている。接触部分５は、転動体として形成されており、この転動体は、接触部材２の自由端部に回転可能に位置していて、かつこの転動体の周面でもって、家具本体４０の、図６においては見えない構成部分と接触可能である。傾斜面７は、接触部分５の幾何学形状に合わせられて形成されている。これによって、転動体として形成された接触部分５は、傾斜面７に沿って走行することができる。このとき扉３ｂに向かって凸面状に湾曲された傾斜面７は、休止位置Ｒから接触位置Ｋへの、または接触位置Ｋから休止位置Ｒへの接触部材２の移動を容易にする。
【００２９】
図７には、金具１が接触位置Ｋにおいて示されており、この接触位置Ｋは、扉３ａ，３ｂの閉鎖位置Ｓに相当している。ここでも簡単化のために、扉３ａ，３ｂは図面から省かれている。この場合蓄力器４は、接触部材２を接触位置Ｋに引っ張っている、またはもたらしている。
【００３０】
図８には、接触部材２が互いに可動の２つのエレメントから成っていることが示されている。このとき接触部材２は、保持部材９を有しており、この保持部材９は、回転軸Ｄ（図７参照）を介してベース体６に回転可能に結合可能である。このとき保持部材９は、調節部分１０を有していて、この調節部分１０に沿って、接触部材２の移動部材が長手方向可動に支持されている。このとき調節部分１０は、長孔として形成されていて、この長孔は、保持部材９に沿って延びている。少なくとも１つのロック手段１２もしくは対応する固定部分１２’を介して、移動部材２１は保持部材９に対してその位置が固定される。移動部材２１には、接触部分５のための収容部も配設されている。この場合には、回転ピンまたはピンを収容するための貫通孔が形成されており、この回転ピンまたはピンには、接触部分５を形成する転動体が取り付けられる。簡単化のために、接触部分５は図８には示されていない。調節部分１０を介した調節によって、折り畳みドア３と家具本体４０との間における相対的な位置を調節することができる。
【００３１】
図９には、金具１の取付け部材１ａが分解図で示されている。取付け部材１ａは、ベース体６から成っており、このベース体６には、ベース体６を扉３ａ，３ｂに固定することができる固定手段８が設けられている。さらにベース体６は、回転ピン１１として形成された回転軸Ｄのための収容部を有している。回転ピン１１には、さらに続いて保持部材９が可動に取り付けられる。ベース体６と保持部材９との間には、蓄力器４が固定される。これは、取付け手段１３；１３’を介して行われる。これらの取付け手段１３；１３’は、ピン、ねじ、またはボルトとして形成されていてよい。別の取付け手段１４を介して、接触部分５は接触部材２の移動部材２１に取り付けられる。移動部材２１に配置された対応する固定部分１２’を備えたロック手段１２は、対応する対応ねじ山を備えたねじとして形成されている。ここではまた、対応する対応ねじ山を備えたただ１つのねじを使用することもできる。蓄力器４を形成する引張りばねの代わりに、接触部材２の戻り移動を生ぜしめる、エラストマ、空気力式または液圧式のダンパ、またはその他の同等なものを使用することも可能である。
【００３２】
図１０には、緩衝装置５５を有する接触部材２が概略的に示されている。この緩衝装置５５は、接触部材２と家具本体４０、または家具本体４０の一部、例えば作業プレート、底部プレート、棚、またはカバープレートのような部分との接触時における緩衝のために働く。緩衝装置５５は、ばね、液圧式または空気力式のダンパ、または弾性エレメントによって形成されていてよく、このような部材のばね力または戻し力は、閉鎖位置Ｓへの扉３ａ，３ｂの閉鎖力よりも小さい。これによって緩衝装置５５は、扉３ａ，３ｂと家具本体４０との間における間隔Ｌａに対して影響を及ぼさない。それというのは、緩衝装置５５は扉３ａ，３ｂの閉鎖位置において、完全に押圧変形されるからである。緩衝装置５５は、図１０においてばねプランジャ上に位置しているローラとして示されている接触部分５を支持している。ローラの代わりに、ばねに支持された単純なピン、または単純な弾性エレメントが、接触部材２に配置されていてもよい。閉鎖位置Ｓにおいて、接触部材２の全長Ｌｄは間隔Ｌａに変化し、この間隔Ｌａは、家具本体４０と折り畳みドア３との間における間隙Ｘに相当している（図２参照）。それというのは、全緩衝装置５５は、閉鎖力によって過剰押圧されるからである。緩衝装置５５にもかかわらず、家具本体４０または家具本体の一部に接触部材２を、定位置（非可撓性）に、硬く、かつ不動に当接させることができ、このときこれによって、重要な間隔Ｌａは正確に決定される。
【図１】
0006914363.tif 000002
【図２】
0006914363.tif 000003
【図３】
0006914363.tif 000004
【図４】
0006914363.tif 000005
【図５】
0006914363.tif 000006
【図６】
0006914363.tif 000007
【図７】
0006914363.tif 000008
【図８】
0006914363.tif 000009
【図９】
0006914363.tif 000010
【図１０】
0006914363.tif 000011